(57)【特許請求の範囲】
【請求項１】
チャンネルスキャンを用いて物理チャンネルの設定を行う放送受信装置であって、
予め設定された物理チャンネルの全てをスキャンして、各チャンネルの受信電界強度を取得する無線受信手段と、
前記無線受信手段で得た受信電界強度に基づき、受信電界強度の強い順に一定数の物理チャンネルを選択し復調を行う復調手段と、
前記復調手段での復調結果に基づき放送の有無を判定し、放送の有るエリアから受信エリアを推定して、その受信エリアにおける物理チャンネルの設定を行う制御手段と、
リモコン番号、物理チャンネルおよび放送局名を関連付けたチャンネル一覧と、物理チャンネルの全てをスキャンして、各チャンネルの受信電界強度を取得した結果を記録した第１の受信電界強度リストと、受信電界強度に基づき、受信電界強度の強い順に前記物理チャンネルをソートしかつ前記物理チャンネルの信号を復調し放送の有無の判定結果を記録した第２の受信電界強度リストと、地域別に割り当てられた物理チャンネルを記録した地域別放送割り当てリストとが格納されるメモリと、を含み、
前記制御手段は、前記第２の受信電界強度リストの放送有りと判定されたチャンネルの上位一定数局と、前記地域別放送割り当てリストとの照合を行い、照合の結果、完全に一致もしくは多くが一致するエリアが存在する場合は、前記チャンネル一覧に、完全に一致もしくは多くが一致する地域のチャンネル情報を前記地域別放送割り当てリストから読み出し、プリセットすることを特徴とする放送受信装置。
【請求項２】
地上波デジタル放送を受信することを特徴とする請求項１記載の放送受信装置。
【請求項３】
チャンネルスキャンを用いて物理チャンネルの設定を行う放送受信装置におけるチャンネルスキャン方法であって、
予め設定された物理チャンネルの全てをスキャンして、各チャンネルの受信電界強度を取得する無線受信ステップと、
前記無線受信ステップで得た受信電界強度に基づき、受信電界強度の強い順に一定数の物理チャンネルを選択し復調を行う復調ステップと、
前記復調ステップでの復調結果に基づき放送の有無を判定し、放送の有るエリアから受信エリアを推定して、その受信エリアにおける物理チャンネルの設定を行う制御ステップとを含み、
さらに前記放送受信装置はリモコン番号、物理チャンネルおよび放送局名を関連付けたチャンネル一覧と、物理チャンネルの全てをスキャンして、各チャンネルの受信電界強度を取得した結果を記録した第１の受信電界強度リストと、受信電界強度に基づき、受信電界強度の強い順に前記物理チャンネルをソートしかつ前記物理チャンネルの信号を復調し放送の有無の判定結果を記録した第２の受信電界強度リストと、地域別に割り当てられた物理チャンネルを記録した地域別放送割り当てリストとが格納されるメモリとを含み、
前記制御ステップは、前記第２の受信電界強度リストの放送有りと判定されたチャンネルの上位一定数局と、前記地域別放送割り当てリストとの照合を行い、照合の結果、完全に一致もしくは多くが一致するエリアが存在する場合は、前記チャンネル一覧に、完全に一致もしくは多くが一致する地域のチャンネル情報を前記地域別放送割り当てリストから読み出し、プリセットすることを特徴とするチャンネルスキャン方法。
【請求項４】
地上波デジタル放送を受信することを特徴とする請求項３記載のチャンネルスキャン方法。
【請求項５】
チャンネルスキャンを用いて物理チャンネルの設定を行う放送受信装置におけるチャンネルスキャン方法の制御プログラムであって、
コンピュータに、予め設定された物理チャンネルの全てをスキャンして、各チャンネルの受信電界強度を取得する無線受信ステップと、
前記無線受信ステップで得た受信電界強度に基づき、受信電界強度の強い順に一定数の物理チャンネルを選択し復調を行う復調ステップと、
前記復調ステップでの復調結果に基づき放送の有無を判定し、放送の有るエリアから受信エリアを推定して、その受信エリアにおける物理チャンネルの設定を行う制御ステップとを実行させるためのものであり、
さらに前記放送受信装置はリモコン番号、物理チャンネルおよび放送局名を関連付けたチャンネル一覧と、物理チャンネルの全てをスキャンして、各チャンネルの受信電界強度を取得した結果を記録した第１の受信電界強度リストと、受信電界強度に基づき、受信電界強度の強い順に前記物理チャンネルをソートしかつ前記物理チャンネルの信号を復調し放送の有無の判定結果を記録した第２の受信電界強度リストと、地域別に割り当てられた物理チャンネルを記録した地域別放送割り当てリストとが格納されるメモリとを含み、
前記制御ステップは、前記第２の受信電界強度リストの放送有りと判定されたチャンネルの上位一定数局と、前記地域別放送割り当てリストとの照合を行い、照合の結果、完全に一致もしくは多くが一致するエリアが存在する場合は、前記チャンネル一覧に、完全に一致もしくは多くが一致する地域のチャンネル情報を前記地域別放送割り当てリストから読み出し、プリセットすることを特徴とする制御プログラム。
【請求項６】
地上波デジタル放送を受信することを特徴とする請求項５記載の制御プログラム。
【発明の詳細な説明】
【技術分野】
【０００１】
本発明は、放送受信装置およびチャンネルスキャン方法ならびに制御プログラムに関し、特にデジタル放送の放送受信装置およびチャンネルスキャン方法ならびに制御プログラムに関する。
【背景技術】
【０００２】
２００３年から地上波のテレビ放送にデジタル放送が開始され、２０１１年までにアナログ方式からの移行が計画されている。これは、地上波デジタル放送と呼ばれている。
【０００３】
地上波の放送では、地域ごとに混信をしないように、その周波数（以下、「物理チャンネル」という）を地域ごとに重ならないように振り分けて放送局の免許が付与されている。この場合の地域とは、都道府県単位のことが多いが、山間部では中継局を設置する関係上、もっと狭い領域の場合もある。
【０００４】
地上波を視聴するユーザーは、テレビジョンを初めて設置する際に、チャンネル設定を行なう必要がある。この操作によって、例えば、リモコン装置の番号を押すだけで、好みの放送局を選曲することが可能になる。ユーザーが認知するチャンネル番号（以下、「リモコン番号」という）と物理チャンネルとを関連付ける作業である。
【０００５】
このチャンネル設定は、その地域でどの物理チャンネルでどの放送局が放送されているかが、あらかじめ分かっている場合は、ユーザーが手動でメモリに記憶させることができる。
【０００６】
しかしながら、この操作は一般に煩雑であるため、放送帯域内の全チャンネルを１チャンネルずつ自動的にスキャンして、放送が有るものを自動的にメモリに記憶させる機能を内蔵させることが多い。これをチャンネルスキャンと呼んでいる。
【０００７】
次に、従来の放送受信装置の一例について説明する。図７は従来の放送受信装置の一例の構成図である。同図は一例として地上波デジタルテレビジョン受信機の構成を示している。
【０００８】
同図を参照すると、従来の放送受信装置の一例は、アンテナ１０と、フロントエンド部１１と、バックエンド部１２と、表示装置（ＬＣＤ：Ｌｉｑｕｉｄ  Ｃｒｙｓｔａｌ  Ｄｉｓｐｌａｙ：液晶表示器）１３と、スピーカ１４と、ＣＰＵ（Ｃｅｎｔｒａｌ  Ｐｒｏｃｅｓｓｉｎｇ  Ｕｎｉｔ：制御部）２０と、メモリ２１とを含んで構成される。
【０００９】
また、フロントエンド部１１は無線受信機１１１と、局部発振器１１２と、ＯＦＤＭ  （Ｏｒｔｈｏｇａｎａｌ  Ｆｒｅｑｕｅｎｃｙ  Ｄｉｖｉｓｉｏｎ  Ｍｕｌｔｉｐｌｅｘｉｎｇ）復調器１１３とを含んで構成される。
【００１０】
なお、表示装置１３をＬＣＤで構成したが、これに限定されるものではなく他の表示装置で構成することも可能である。
【００１１】
アンテナ１０は放送波を高周波信号に変換する。フロントエンド部１１は高周波信号をＴＳ（Ｔｒａｎｓｐｏｒｔ  Ｓｔｒｅａｍ）と呼ばれる信号に復調する。
【００１２】
その内部の無線受信機１１１は、高周波信号を、局部発振器１１２からの局部発振信号を用いて、ＩＱ信号もしくはＩＦ（中間周波）信号等の復調に適した信号に変換する。局部発振器１１２は指定された周波数の信号を発振して出力する。
【００１３】
ＯＦＤＭ復調器１１３は、ＩＱ信号もしくはＩＦ信号等のＯＦＤＭ変調を復調し、地上波デジタルテレビジョンの放送波で処理されているスクランブリングや、インターリーブ等を復号して、変調元のデータを取り出し、ＴＳ信号と呼ばれる標準的な信号に変換する。
【００１４】
バックエンド部１２は、ＴＳ信号を解釈し、それに含まれる情報圧縮された映像信号や音声信号を復調し、出力するデコーダである。
【００１５】
ＣＰＵ２０は、地上波デジタルテレビジョン受信機全体の制御をつかさどるが、特に局部発振器１１２の発振周波数を指定し、ＯＦＤＭ復調器１１３の復調に伴う処理を指示し、またＯＦＤＭ復調器１１３から復調している信号のＢＥＲ（Ｂｉｔ  Ｅｒｒｏｒ  Ｒａｔｅ：受信信号の符号誤り率）、Ｃ／Ｎ（Ｃａｒｒｉｅｒ  ｔｏ  Ｎｏｉｓｅ  ｒａｔｉｏ：キャリア対ノイズ比）の情報を取り出して、選局等に使用する。
【００１６】
次に、この受信装置の動作について説明する。
【００１７】
放送局から送出された放送波は、アンテナ１０で高周波信号に変換され、フロントエンド部１１へ入力される。フロントエンド部１１の内部では、まず局部発振器１１２が、ＣＰＵ２０が指定した周波数で発振を開始する。この周波数は受信したいチャンネルと一定の関係のある周波数になるように考慮されている。
【００１８】
アンテナ１０で変換された高周波信号は、無線受信機１１１へ入力され、また、局部発振器１１２で生成された局部発振信号も無線受信機１１１へ入力される。
【００１９】
無線受信機１１１は、この二つの入力信号を増幅および混合し、周波数変換を行なってＩＱ信号もしくはＩＦ信号に変換してＯＦＤＭ復調器１１３へ出力する。
【００２０】
ＯＦＤＭ復調器１１３は、ＣＰＵ２０からの指示で復調動作を開始し、入力されたＩＱ信号もしくはＩＦ信号を、ＯＦＤＭ変調の復調を行なう。また、復調した後にＯＦＤＭキャリアのスクランブルやインターリーブ等の復号処理を行い、所望する変調データをＴＳというフォーマットで出力する。
【００２１】
ＴＳ信号には、映像データや音声データが、ＭＰＥＧ（Ｍｏｔｉｏｎ  Ｐｉｃｔｕｒｅ  Ｅｘｐｅｒｔ  Ｇｒｏｕｐ）４やＡＡＣ（Ａｄｖａｎｃｅｄ  Ａｄｉｏ  Ｃｏｄｅｒ）等の圧縮技術で情報圧縮された後に重畳されるので、それらをバックエンド部１２で分配の上、復号伸張し、元の映像データおよび音声データに復調して、表示装置１３およびスピーカ１４に出力する。表示装置１３およびスピーカ１４は、与えられた映像データおよび音声データを出力する。
【００２２】
次に、選局時の動作について説明する。図８はチャンネル一覧の一例の構成図である。選局時は、図８に示すようなチャンネル一覧３０の情報がメモリ２１に格納されており、この情報に従って選局が行なわれる。
【００２３】
テレビジョン機能を起動したときには、この一覧３０のどこか（最上位でもよいし、前回受信した局でもよい）のリモコン番号を既定チャンネルとし、そのリモコン番号に応じた物理チャンネルがメモリ２１から読み出され、ＣＰＵ２０からその物理チャンネルを受信するように局部発振器１１２にコマンドが送信される。
【００２４】
このとき、リモコン番号というのは、ユーザーが認識する放送に対応する番号で任意に決めることも可能だが、地上波デジタル放送の場合は、あらかじめ放送局側でリモコン番号が設定されている。例えば、関東圏であれば、ＮＨＫ総合が１、ＮＨＫ教育が２、日本テレビが４、東京放送が６、・・・等となる。
【００２５】
物理チャンネルというのは、実際に放送が送信される周波数に対応する物理的なチャンネルの番号で、例えば、関東圏であれば、ＮＨＫ総合が２７、ＮＨＫ教育が２６、日本テレビが２５、東京放送が２２、・・・等となる。
【００２６】
ユーザーがチャンネルを変える場合は、ユーザーが指定したリモコン番号に対応した物理チャンネルの周波数の放送を受信するように、ＣＰＵ２０から局部発振器１１２のコマンドが再度送られる。
【００２７】
次に、チャンネル一覧３０の作成について説明する。図８のチャンネル一覧は、放送局名と放送波の物理チャンネルとそのリモコン番号とを関連付けるものであるが、これは全国の地域ごとに異なっている。例えば、関東圏と大阪圏では異なるし、その他の地域ではおおむね県単位で異なっている。そのため、受信機を製造後、初めて使用する場合と、地域を変更する場合には、チャンネル一覧を更新する必要がある。一般に、チャンネル一覧３０の情報は不揮発性メモリに格納され、電源を切っても保持され、また必要に応じて書き換えることが可能である。
【００２８】
図９は従来のチャンネル一覧３０の作成の動作の一例を示すフローチャートである。地上波デジタル放送では、日本のＵＨＦ帯の１３チャンネルから６２チャンネルを使用することが決まっているため、１３チャンネルから６２チャンネルまでの間をスキャンする動作を一例とするが、この動作フローは特にチャンネルの値に依存するものではない。
【００２９】
図９を参照すると、まず、ＣＰＵ２０は、チャンネルを記憶する変数（ＣＨとする）の値を初期値の“１３”にセットする（ステップ２０１）。次に、そのチャンネルで放送波を受信することを試みる（ステップ２０２）。具体的には、受信周波数をその物理チャンネルに指定し、ＯＦＤＭ復調器１１３へ復調開始のコマンドを送出する。
【００３０】
次に、ＣＰＵ２０は、ステップ２０２で地上波デジタル放送の放送波を受信しているかどうかを判断する（ステップ２０３）。具体的には、ＯＦＤＭ復調器１１３で放送波が検出されているかどうかを判定する。放送波が検出されているかどうかは、ＢＥＲが“０”もしくは規定値より小さくなっているか、もしくはＣ／Ｎが規定値よりも大きいか等で判定することが可能である。あるいは、地上波デジタル放送の場合、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と呼ばれる、放送の変調方式に関する属性情報が多重されており、この信号の復調が出来ているかどうかでも判断することが可能である。
【００３１】
ここで放送波がある場合は（ステップ２０３にて“Ｙ”の場合）、その放送波のチャンネル番号およびその放送局名をチャンネル一覧へ追加する（ステップ２０４）。また、その際に、放送波に多重されているリモコン番号も復号し、チャンネル一覧へ追加する。一方、放送波がない場合は（ステップ２０３にて“Ｎ”の場合）、ステップ２０５へ進む。
【００３２】
次に、ステップ２０４に続き、チャンネルを記憶する変数（ＣＨ）が終了値である“６２”になっているかどうかを判定する（ステップ２０５）。そして、“６２”に達していれば（ステップ２０５にて“Ｙ”の場合）、バンド内のスキャンが全て終了しているので、このシーケンスを終える。一方、まだ“６２”に達していなければ（ステップ２０５にて“Ｎ”の場合）、チャンネル値を示す変数（ＣＨ）に“１”を加算し（ステップ２０６）、ステップ２０２の受信動作から繰り返す。
【００３３】
以上の動作によって、チャンネル一覧３０が完成し、ユーザーが簡便に選局を行なうことが出来るようになる。
【００３４】
一方、受信したＯＦＤＭ信号からバンドパスフィルタによって９放送チャンネル分を抽出し、これをさらに他のバンドパスフィルタによって３放送チャンネル分ごとに分割し、その後、各々の放送チャンネルについて放送波の有無を検出する技術が開示されている（例えば、特許文献１参照）。これは、放送波の復調を行なわずに複数チャンネルをスキャンするという点で本発明に類似する。
【００３５】
また、ユーザーのいるエリアを推定するために、受信チャンネル数が最も多いエリアを現在いるエリアと推定する発明が開示されている（例えば、特許文献２参照）。
【００３６】
また、上記特許文献２記載の発明とほぼ同じ内容であるが、「Ｃ／Ｎを利用する」と記載された発明が開示されている（例えば、特許文献３参照）。
【００３７】
また、本発明と同様に、スキャン時間の短縮を目的とする発明が開示されている（例えば、特許文献４参照）。これは、受信信号に含まれるＮＩＴ情報により、他地域も含めて放送されているチャンネルを取り出し、使用されているチャンネルの頻度が高いものから優先してスキャンすることで高速化を図るものである。
【００３８】
また、本発明と同様に、スキャン時間の短縮を目的とする他の発明が開示されている（例えば、特許文献５参照）。これは、全チャンネルサーチを行い、最初に見つかった局からの局設置情報と、ＧＰＳ等の自分の位置情報とからエリアを推定し、そのエリアの局のみをスキャンすることで高速化を図るものである。
【００３９】
【特許文献１】特開２００５−２４４４８１号公報（段落００３６，００４５〜００５２および図１）
【特許文献２】特開２００４−３１２２０３号公報（段落００１６〜００１７）
【特許文献３】特開２００４−３１２２０４号公報
【特許文献４】特開２０００−２５３４２８号公報
【特許文献５】特開２００３−２７３７５９号公報
【発明の開示】
【発明が解決しようとする課題】
【００４０】
しかし従来の放送受信装置は、ＯＦＤＭ復調を行なう過程で、受信波の同期を取るのに時間を要するため、チャンネルスキャン全体の時間が長くかかるという課題がある。
【００４１】
例えば、ＯＦＤＭ復調を行なうにあたり、一回当たり２秒の時間を要するとすると、１３〜６２チャンネルの５０チャンネル分のスキャンを終えるのに、１００秒の時間を要する。この間、ユーザーは番組を視聴することが出来ない。
【００４２】
家庭に設置するテレビジョン受信機であれば、放送エリアが変わるのは、通常引越しの時だけであるため、スキャンの時間が長くなってもそれほど問題とならない。しかしながら、エリアに関係なくユーザーが移動する、例えば、車載受信機や携帯端末受信機では、このスキャンに時間がかかるのは商品性を大きく損なう一因となる。
【００４３】
一方、特許文献１記載の発明は、全チャンネルを一度にスキャンするものではなく、９チャンネルごとにスキャンするものである点で本発明と構成が全く相違する。
【００４４】
また、特許文献２記載の発明は、チャンネルスキャン時に必ずＣ／Ｎ情報を取得する点で本発明と構成が全く相違する。これは、明細書本文中の説明だけではなく、図６の表、図７のステップ２２、ステップ２３からも明らかである。この発明では、Ｃ／Ｎの情報を取得するためには、ＯＦＤＭ復調器の同期動作を行なわせる必要があるため、他の従来技術と同等のスキャン時間がかかる。従って、この発明ではエリア推定は行なえるものの、スキャン時間の短縮は行なうことができない。
【００４５】
また、特許文献３記載の発明は、上記特許文献２記載の発明と同様に、Ｃ／Ｎの情報を取得するために、ＯＦＤＭ復調器の同期動作を行なわせる必要がある。
【００４６】
また、本発明では最初は受信情報は使用しないのに対し、特許文献４記載の発明は、最初にＮＩＴ情報という受信情報を使用する点で本発明と構成が全く相違する。
【００４７】
また、特許文献５記載の発明は、構成上ＢＥＲを必ず使用するため、本発明のように最初は受信情報を使用しないものとは構成が全く相違する。
【００４８】
本発明の目的は、スキャン時間を従来よりも高速化することが可能な放送受信装置およびチャンネルスキャン方法ならびに制御プログラムを提供することにある。
【課題を解決するための手段】
【００４９】
前記課題を解決するために本発明による放送受信装置は、チャンネルスキャンを用いて物理チャンネルの設定を行う放送受信装置であって、予め設定された物理チャンネルの全てをスキャンして、各チャンネルの受信電界強度を取得する無線受信手段と、前記無線受信手段で得た受信電界強度に基づき、受信電界強度の強い順に一定数の物理チャンネルを選択し復調を行う復調手段と、前記復調手段での復調結果に基づき放送の有無を判定し、放送の有るエリアから受信エリアを推定して、その受信エリアにおける物理チャンネルの設定を行う制御手段と、リモコン番号、物理チャンネルおよび放送局名を関連付けたチャンネル一覧と、物理チャンネルの全てをスキャンして、各チャンネルの受信電界強度を取得した結果を記録した第１の受信電界強度リストと、受信電界強度に基づき、受信電界強度の強い順に前記物理チャンネルをソートしかつ前記物理チャンネルの信号を復調し放送の有無の判定結果を記録した第２の受信電界強度リストと、地域別に割り当てられた物理チャンネルを記録した地域別放送割り当てリストとが格納されるメモリと、を含み、前記制御手段は、前記第２の受信電界強度リストの放送有りと判定されたチャンネルの上位一定数局と、前記地域別放送割り当てリストとの照合を行い、照合の結果、完全に一致もしくは多くが一致するエリアが存在する場合は、前記チャンネル一覧に、完全に一致もしくは多くが一致する地域のチャンネル情報を前記地域別放送割り当てリストから読み出し、プリセットすることを特徴とする。
【００５０】
また、本発明によるチャンネルスキャン方法は、チャンネルスキャンを用いて物理チャンネルの設定を行う放送受信装置におけるチャンネルスキャン方法であって、予め設定された物理チャンネルの全てをスキャンして、各チャンネルの受信電界強度を取得する無線受信ステップと、前記無線受信ステップで得た受信電界強度に基づき、受信電界強度の強い順に一定数の物理チャンネルを選択し復調を行う復調ステップと、前記復調ステップでの復調結果に基づき放送の有無を判定し、放送の有るエリアから受信エリアを推定して、その受信エリアにおける物理チャンネルの設定を行う制御ステップとを含み、さらに前記放送受信装置はリモコン番号、物理チャンネルおよび放送局名を関連付けたチャンネル一覧と、物理チャンネルの全てをスキャンして、各チャンネルの受信電界強度を取得した結果を記録した第１の受信電界強度リストと、受信電界強度に基づき、受信電界強度の強い順に前記物理チャンネルをソートしかつ前記物理チャンネルの信号を復調し放送の有無の判定結果を記録した第２の受信電界強度リストと、地域別に割り当てられた物理チャンネルを記録した地域別放送割り当てリストとが格納されるメモリとを含み、前記制御ステップは、前記第２の受信電界強度リストの放送有りと判定されたチャンネルの上位一定数局と、前記地域別放送割り当てリストとの照合を行い、照合の結果、完全に一致もしくは多くが一致するエリアが存在する場合は、前記チャンネル一覧に、完全に一致もしくは多くが一致する地域のチャンネル情報を前記地域別放送割り当てリストから読み出し、プリセットすることを特徴とする。
【００５１】
また、本発明による制御プログラムは、チャンネルスキャンを用いて物理チャンネルの設定を行う放送受信装置におけるチャンネルスキャン方法の制御プログラムであって、コンピュータに、予め設定された物理チャンネルの全てをスキャンして、各チャンネルの受信電界強度を取得する無線受信ステップと、前記無線受信ステップで得た受信電界強度に基づき、受信電界強度の強い順に一定数の物理チャンネルを選択し復調を行う復調ステップと、前記復調ステップでの復調結果に基づき放送の有無を判定し、放送の有るエリアから受信エリアを推定して、その受信エリアにおける物理チャンネルの設定を行う制御ステップとを実行させるためのものであり、さらに前記放送受信装置はリモコン番号、物理チャンネルおよび放送局名を関連付けたチャンネル一覧と、物理チャンネルの全てをスキャンして、各チャンネルの受信電界強度を取得した結果を記録した第１の受信電界強度リストと、受信電界強度に基づき、受信電界強度の強い順に前記物理チャンネルをソートしかつ前記物理チャンネルの信号を復調し放送の有無の判定結果を記録した第２の受信電界強度リストと、地域別に割り当てられた物理チャンネルを記録した地域別放送割り当てリストとが格納されるメモリとを含み、前記制御ステップは、前記第２の受信電界強度リストの放送有りと判定されたチャンネルの上位一定数局と、前記地域別放送割り当てリストとの照合を行い、照合の結果、完全に一致もしくは多くが一致するエリアが存在する場合は、前記チャンネル一覧に、完全に一致もしくは多くが一致する地域のチャンネル情報を前記地域別放送割り当てリストから読み出し、プリセットすることを特徴とする。
【００５２】
次に、本発明の作用を述べる。本発明に係る放送受信装置は受信電界レベル（ＲＳＳＩ：Ｒｅｃｅｉｖｅｄ  Ｓｉｇｎａｌ  Ｓｔｒｅｎｇｔｈ  Ｉｎｄｉｃａｔｏｒ：受信電界強度）情報をＣＰＵで読み取る部位を有し、まずその部位を用いて、ＯＦＤＭ復調を行なうことなく全バンドのＲＳＳＩ値のスキャンを行なう。そして、そのスキャン結果で、全帯域の中から信号の強い順にＯＦＤＭ復調を試みて、地上波デジタル放送かどうかの判断を行なう。最後に、数チャンネルの判断が終わった段階で、そのチャンネルの存在する可能性の高いエリアを、あらかじめ記憶しておいたリストと照合することで確定し、そのエリアに存在する放送局のチャンネルを、受信可能チャンネルとしてプリセットする。
【発明の効果】
【００５３】
本発明によれば、上記構成を含むため、スキャン時間を従来よりも高速化することが可能となる。
【発明を実施するための最良の形態】
【００５４】
以下、本発明の実施例について添付図面を参照しながら説明する。
【実施例１】
【００５５】
まず、第１実施例について説明する。第１実施例は放送受信装置およびチャンネルスキャン方法に関するものである。図１は本発明に係る放送受信装置の一例の構成図である。
【００５６】
同図を参照すると、本発明に係る放送受信装置の一例は、アンテナ１と、フロントエンド部２と、バックエンド部３と、表示装置（ＬＣＤ：Ｌｉｑｕｉｄ  Ｃｒｙｓｔａｌ  Ｄｉｓｐｌａｙ：液晶表示器）４と、スピーカ５と、ＣＰＵ（Ｃｅｎｔｒａｌ  Ｐｒｏｃｅｓｓｉｎｇ  Ｕｎｉｔ：制御部）６と、メモリ７とを３０含んで構成される。
【００５７】
また、フロントエンド部２は無線受信機１１と、局部発振器１２と、ＯＦＤＭ（Ｏｒｔｈｏｇａｎａｌ  Ｆｒｅｑｕｅｎｃｙ  Ｄｉｖｉｓｉｏｎ  Ｍｕｌｔｉｐｌｅｘｉｎｇ）復調器１３とを含んで構成される。
【００５８】
なお、表示装置４をＬＣＤで構成したが、これに限定されるものではなく他の表示装置で構成することも可能である。
【００５９】
アンテナ１は放送波を高周波信号に変換する。フロントエンド部２は高周波信号をＴＳ（Ｔｒａｎｓｐｏｒｔ  Ｓｔｒｅａｍ）と呼ばれる信号に復調する。
【００６０】
その内部の無線受信機１１は、高周波信号を、局部発振器１２からの局部発振信号を用いて、ＩＱ信号もしくはＩＦ（中間周波）信号等の復調に適した信号に変換する。局部発振器１２は指定された周波数の信号を発振して出力する。
【００６１】
ＯＦＤＭ復調器１３は、ＩＱ信号もしくはＩＦ信号等の信号をＯＦＤＭにより復調し、地上波デジタルテレビジョンの放送波で処理されているスクランブリングや、インターリーブ等を復号して、変調元のデータを取り出し、ＴＳ信号と呼ばれる標準的な信号に変換する。
【００６２】
バックエンド部３は、ＴＳ信号を解釈し、それに含まれる情報圧縮された映像信号や音声信号を復調し、出力するデコーダである。
【００６３】
ＣＰＵ２０は、地上波デジタルテレビジョン受信機全体の制御をつかさどるが、特に局部発振器１２の発振周波数を指定し、ＯＦＤＭ復調器１３の復調に伴う処理を指示し、またＯＦＤＭ復調器１３から復調している信号のＢＥＲ（Ｂｉｔ  Ｅｒｒｏｒ  Ｒａｔｅ：受信信号の符号誤り率）、Ｃ／Ｎ（Ｃａｒｒｉｅｒ  ｔｏ  Ｎｏｉｓｅ  ｒａｔｉｏ：キャリア対ノイズ比）の情報を取り出して、選局等に使用する。また、無線受信機１１からＲＳＳＩの情報を読み取る。また、ＣＰＵ２０は、後述するチャンネルスキャン時および選局時の処理を実行する。
【００６４】
メモリ７には、リモコン番号、物理チャンネルおよび放送局名を関連付けたチャンネル一覧３０（前述の図８参照）と、物理チャンネルに対するＲＳＳＩ値を関連づけた第１のＲＳＳＩ強度リスト３１（後述の図２参照）と、第１のＲＳＳＩ強度リスト３１をソート（分類）し、デジタル放送の有無の情報を加えた第２のＲＳＳＩ強度リスト３２（後述の図３参照）と、エリア（地域）別に放送波がある物理チャンネルを表示した地域別放送割り当てリスト３３とが格納されている。さらに、後述するが、メモリ７には、本発明に係るチャンネルスキャン方法をＣＰＵ６に実行させるための制御プログラムも格納されている。
【００６５】
本発明の動作説明に入る前に、前述のチャンネル一覧３０、第１のＲＳＳＩ強度リスト３１、第２のＲＳＳＩ強度リスト３２および地域別放送割り当てリスト３３について説明する。
【００６６】
チャンネル一覧３０は従来技術の図８で説明したのと同様のリストである。メモリ７には、一例として同図に示すような関東地方のチャンネル一覧３０が格納されている。
【００６７】
図２は本発明に係る第１のＲＳＳＩ強度リスト３１の一例の構成図である。同図を参照すると、受信した信号の物理チャンネルとそのＲＳＳＩ強度とが表示されている。左端の番号（“Ｎｏ”）は受信した信号の順序を示している。すなわち、物理チャンネル１３から物理チャンネル６２まで順に５０チャンネルスキャンし、各々のＲＳＳＩ強度を求めたものである。
【００６８】
図３は本発明に係る第２のＲＳＳＩ強度リスト３２の一例の構成図である。同図を参照すると、ＲＳＳＩ強度が強い順に受信した物理チャンネルが並び替えられている。なお、右端の「地上波デジタル放送の有無」の欄は、これら物理チャンネルの信号を復調して地上波デジタル放送の有無を調べた結果が記されている。
【００６９】
図４は本発明に係る地域別放送割り当てリスト３３の一例の構成図である。同図を参照すると、地域別に物理チャンネルとリモコン番号の対応表が記されている。
【００７０】
次に、本発明の動作について説明する。選局はチャンネル一覧３０のリストに従って行なわれる。すなわち、テレビジョン機能を起動したときには、この一覧のどこか（最上位でも良いし、前回使用したチャンネルでも良い）のチャンネルを規定チャンネルとし、そのリモコン番号に対応した物理チャンネルがメモリ７から読み出され、ＣＰＵ６からその物理チャンネルを受信するように局部発振器１２に周波数設定コマンドが送られる。
【００７１】
このとき、リモコン番号というのは、ユーザーが認識する放送に対応する番号で、一例として、関東圏であればＮＨＫ総合が“１”、ＮＨＫ教育が“２”、日本テレビが“４”、東京放送が“６”、・・・等となる。新聞のテレビ欄にはこの番号が使用され、単に「チャンネル番号」と呼ばれる場合もある。
【００７２】
物理チャンネルというのは、実際に放送が送信される周波数に対応するチャンネルの番号で、一例として、関東圏であればＮＨＫ総合が“２７”、ＮＨＫ教育が“２６”、日本テレビが“２５”、東京放送が“２２”、・・・等となる。ユーザーがチャンネルを変える場合は、ユーザーが指定したリモコン番号に対応した物理チャンネルの周波数を受信するように、ＣＰＵ６から局部発振器１２に周波数設定コマンドが再送信される。
【００７３】
次に、チャンネル一覧３０の作成について説明する。図８のチャンネル一覧３０は、放送局名と放送波の物理チャンネルとそのリモコン番号とを関連づけるものであるが、これは全国の地域ごとに異なっている。例えば、関東圏と大阪圏では異なるし、その他の地域ではおおむね県単位で異なっている。そのため、受信機を製造後、初めて使用する場合と、地域を変更する場合には、図８のリストを変更する必要がある。
【００７４】
図５および図６は本発明における、チャンネル一覧３０を作成する動作の一例を示すフローチャートである。
【００７５】
なお、地上波デジタルテレビジョンでは、日本のＵＨＦ帯の１３チャンネルから６２チャンネルを使用することが決まっているため、１３チャンネルから６２チャンネルの間をスキャンする動作を一例として説明するが、以下の説明は特にチャンネルの値に依存するものではない。
【００７６】
まず、選局時の動作について説明する。まず、ＣＰＵ６はチャンネルを記憶する変数（ＣＨとする）の値を初期値の“１３”にセットする（ステップ３０１）。次に、そのチャンネルで放送波を受信するようにＣＰＵ６がフロントエンド部２に対して設定を行なうが、ここではＯＦＤＭ復調器１３によるＯＦＤＭ復調は行なわず、無線受信機１１で信号強度であるＲＳＳＩを取得するのみとする（ステップ３０２）。この動作は一般にＯＦＤＭ復調を行なう場合に比べはるかに高速に行なうことが出来る。
【００７７】
次に、ステップ３０２で取得したＲＳＳＩ値を図２のＲＳＳＩ強度リスト３１に、選局した物理チャンネルと共に記憶する（ステップ３０３）。
【００７８】
次に、チャンネルが終了値である“６２”に達したかどうかを判定し（ステップ３０４）、達していなければ（ステップ３０４にて“Ｎ”の場合）チャンネル変数（ＣＨ）に“１”を加算し（ステップ３０５）、ステップ３０２へ戻る。一方、達していれば、ステップ３０６へ移行して、このループを抜ける。
【００７９】
ステップ３０６に到達したときには、図２のＲＳＳＩ強度リスト３１は全チャンネル更新されている。そこで、ＣＰＵ６はこのリスト３１をＲＳＳＩの値で大きい順にソート（分類）し、第２のＲＳＳＩ強度リスト３２に書き込む（ステップ３０６）。
【００８０】
次に、第２のＲＳＳＩ強度リスト３２に書き込んだ物理チャンネルのうち、ＲＳＳＩの値があらかじめ決められた値（閾値）を超える物理チャンネルの数Ｍ（Ｍは正の整数）をメモリ７内の所定アドレスにセットする（ステップ３０７）。
【００８１】
次に、変数ＮＯに初期値の“１”をセットする（ステップ３０８）。
【００８２】
次に、変数ＮＯの示す数値に相当する順番のチャンネルを第２のＲＳＳＩ強度リスト３２から読み出し、その受信動作を行なう（ステップ３０９）。ここの受信動作とは、ステップ３０２の受信電界（ＲＳＳＩ）を読み取るだけとは異なり、ＯＦＤＭ復調までを行う。従って、ここのステップはステップ３０２に比べて余分に時間を要する。そして、その結果として、ＯＦＤＭ復調器１３で地上波デジタル放送波が検出されたかどうかを判定し、その結果を第２のＲＳＳＩ強度リスト３２の「地上波デジタル放送の有無」の欄に書き込む（ステップ３１０）。
【００８３】
次に、変数ＮＯがＭに達したかを判定し（ステップ３１１）、達していれば（ステップ３１１にて“Ｙ”の場合）ステップ３１４へ移行してこのループを抜ける。一方、達していなければ（ステップ３１１にて“Ｎ”の場合）、ステップ３１２へ移行する。
【００８４】
Ｍはあらかじめ決められた閾値によって、ある程度の強度を持つ信号のみを選抜した数値であるため、変数ＮＯがＭに達していれば、残りのチャンネルはノイズのみと推定され、改めて受信させる必要がないからである。
【００８５】
次に、変数ＮＯがＭに達していなければ（ステップ３１１にて“Ｎ”の場合）、地上波デジタル放送が、一例として、５局見つかったかどうかの判定を行い（ステップ３１２）、５局見つかったのであれば（ステップ３１２にて“Ｙ”の場合）、ステップ３１４へ移行する。一方、５局見つかっていなければ（ステップ３１２にて“Ｎ”の場合）、変数ＮＯに“１”を加算し、ステップ３０９へ戻る。なお、ここでは終了条件を「５局」としたが、これに限定するものではなく、局数は任意に変更が可能である。
【００８６】
次に、ステップ３１４では、図３の第２のＲＳＳＩ強度リスト３２の地上波デジタル放送が存在するチャンネルの上位５局と、図４の地域別放送割当てリスト３３との照合を行う。
【００８７】
次に、照合で一致するエリアがあるかどうかを判定する（ステップ３１５）。
【００８８】
そして、完全に一致もしくは多くが一致するエリアが存在する場合は（ステップ３１５にて“Ｙ”の場合）、チャンネル一覧３０に、完全に一致もしくは多くが一致する地域のチャンネル情報を地域別放送割当てリスト３３から読み出し、プリセットする（ステップ３１６）。
【００８９】
次に、プリセットされた物理チャンネルのうち、３０８〜３１３でスキャンされていない物理チャンネルのみをスキャンする（ステップ３１７）。
【００９０】
そして、地上波デジタル放送が存在すれば、チャンネル情報をチャンネル一覧３０に書き込み、地上波デジタル放送が存在しなければその物理チャンネルを削除（デリート）し（ステップ３１８）、シーケンスを終了する。
【００９１】
一方、ステップ３１５にて、完全に一致もしくは多くが一致するエリアが存在しない場合は（ステップ３１５にて“Ｎ”の場合）、地域の推定に失敗しているので、従来の技術である図９のシーケンスと同様に、全ての物理チャンネルをスキャンして（ステップ３１９）、チャンネルリストを確定する。
【００９２】
なお、ステップ３０６および３１４にて、ソートおよび照合等の処理を行うが、これらは当業者にとってよく知られているアルゴリズムであるので、その詳細な説明は省略する。
【００９３】
以上説明したように、本発明の第１実施例によれば、全てのチャンネルをＯＦＤＭ復調することなく、受信すべきチャンネルの候補を確定しているため、高速にチャンネルスキャンすることが可能となる。
【００９４】
例えば、受信すべき物理チャンネルが、１３〜６２チャンネルあり、ＲＳＳＩ値の読み出しのみの受信動作に１００ｍｓ、ＯＦＤＭ復調を行う受信動作に２秒掛かるとすると、従来の技術ではスキャンに、５０×２（秒）＝１００（秒）を要する。
【００９５】
一方、本発明では、例えば、関東圏では図８の９局が受信できると見込まれるため、スキャンに要する時間は、５０×０．１＋９×２（秒）＝２３（秒）と大幅に短縮することが可能となる。
【実施例２】
【００９６】
次に、第２実施例について説明する。第２実施例はチャンネルスキャン方法の制御プログラムに関するものである。前述したように、図１に示すメモリ７には、本発明に係るチャンネルスキャン方法をＣＰＵ６に実行させるための制御プログラムが格納されている。その制御プログラムとは、図５および図６にフローチャートで示す手順をＣＰＵ６に実行させるためのプログラムである。
【００９７】
ＣＰＵ６はメモリ７からその制御プログラムを読み出し、そのプログラムに基づき無線受信機１１、局部発振器１２およびＯＦＤＭ復調器１３を制御する。その制御の内容は既に述べたので、ここでの説明を省略する。
【００９８】
以上説明したように、本発明の第２実施例によれば、全てのチャンネルをＯＦＤＭ復調することなく、受信すべきチャンネルの候補を確定する制御プログラムが得られる。
【図面の簡単な説明】
【００９９】
【図１】本発明に係る放送受信装置の一例の構成図である。
【図２】本発明に係る第１のＲＳＳＩ強度リスト３１の一例の構成図である。
【図３】本発明に係る第２のＲＳＳＩ強度リスト３２の一例の構成図である。
【図４】本発明に係る地域別放送割り当てリスト３３の一例の構成図である。
【図５】本発明における、チャンネル一覧３０を作成する動作の一例を示すフローチャートである。
【図６】本発明における、チャンネル一覧３０を作成する動作の一例を示すフローチャートである。
【図７】従来の放送受信装置の一例の構成図である。
【図８】チャンネル一覧の一例の構成図である。
【図９】従来のチャンネル一覧３０の作成の動作の一例を示すフローチャートである。
【符号の説明】
【０１００】
１  アンテナ
２  フロントエンド部
３  バックエンド部
４  表示装置
５  スピーカ
６  ＣＰＵ
７  メモリ
３０  チャンネル一覧
３１  第１のＲＳＳＩ強度リスト
３２  第２のＲＳＳＩ強度リスト
３３  地域別放送割り当てリスト
【図１】
0004466592.tif 000002
【図２】
0004466592.tif 000003
【図３】
0004466592.tif 000004
【図４】
0004466592.tif 000005
【図５】
0004466592.tif 000006
【図６】
0004466592.tif 000007
【図７】
0004466592.tif 000008
【図８】
0004466592.tif 000009
【図９】
0004466592.tif 000010